(57)【要約】【課題】Ｘ２インタフェースを確立していない場合であっても、無線基地局のセル情報が変更された場合に、その変更がネイバー関係にある無線基地局に適切に反映されることが望ましい。【解決手段】無線基地局であって、無線基地局とネイバー関係にある無線基地局のうちで、Ｘ２インタフェースが確立されておらず、ハンドオーバが準備フェーズで失敗した無線基地局を特定する基地局特定部と、基地局特定部が特定した無線基地局とのネイバー関係を無効化する無効化部とを備える無線基地局を提供する。【選択図】図２
2018033001.tif 000002
【特許請求の範囲】
【請求項１】
無線基地局であって、
前記無線基地局とネイバー関係にある無線基地局のうちで、Ｘ２インタフェースが確立されておらず、ハンドオーバが準備フェーズで失敗した無線基地局を特定する基地局特定部と、
前記基地局特定部が特定した無線基地局とのネイバー関係を無効化する無効化部と
を備える無線基地局。
【請求項２】
前記基地局特定部は、前記無線基地局とネイバー関係にある無線基地局のうちで、Ｘ２インタフェースが確立されておらず、ハンドオーバが準備フェーズで予め定められた回数連続して失敗した無線基地局を特定する、請求項１に記載の無線基地局。
【請求項３】
無線基地局であって、
前記無線基地局とネイバー関係にある無線基地局のうちで、ハンドオーバが予め定められた回数連続して失敗した無線基地局を特定する基地局特定部と、
前記基地局特定部が特定した無線基地局とのネイバー関係を無効化する無効化部と
を備える無線基地局。
【請求項４】
前記基地局特定部は、前記無線基地局とネイバー関係にある無線基地局のうちで、ハンドオーバ処理が準備フェーズで予め定められた回数連続して失敗した無線基地局を特定する、請求項３に記載の無線基地局。
【請求項５】
前記無線基地局とネイバー関係にある無線基地局のセル情報であるネイバーセル情報を格納するネイバーセル情報格納部
をさらに備え、
前記無効化部は、前記基地局特定部が特定した無線基地局の前記ネイバーセル情報を削除する、請求項１から４のいずれか一項に記載の無線基地局。
【請求項６】
前記ネイバーセル情報は無線基地局名を含み、
前記無線基地局は、
無線通信接続を確立している移動局からハンドオーバ先の無線基地局名を含むハンドオーバ要求を受信する要求受信部と、
前記ハンドオーバ要求に含まれる前記無線基地局名を含むネイバーセル情報が前記ネイバーセル情報格納部に格納されていない場合、前記無線基地局名をコアネットワークに送信することによって、当該無線基地局名を含むネイバーセル情報を前記コアネットワークから受信するネイバーセル情報受信部と
をさらに備え、
前記ネイバーセル情報格納部は、前記情報受信部が受信したネイバーセル情報を格納する、請求項５に記載の無線基地局。
【請求項７】
前記ネイバーセル情報は、ＰＣＩ（Ｐｈｙｓｉｃａｌ  Ｃｅｌｌ  ＩＤ）、ＴＡＣ（Ｔｒａｃｋｉｎｇ  Ａｒｅａ  Ｃｏｄｅ）、ＥＡＲＦＣＮ（Ｅ−ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）、及びＥＣＧＩ（Ｅ−ＵＴＲＡＮ  Ｃｅｌｌ  Ｇｌｏｂａｌ  ＩＤ）を含む、請求項５又は６に記載の無線基地局。
【請求項８】
コンピュータを、請求項１から７のいずれか一項に記載の無線基地局として機能させるためのプログラム。
【発明の詳細な説明】
【技術分野】
【０００１】
本発明は、無線基地局及びプログラムに関する。
【背景技術】
【０００２】
ＰＣＩ（Ｐｈｙｓｉｃａｌ  Ｃｅｌｌ  ＩＤ）等の無線基地局の情報が変更された場合に、ネイバー関係にある無線基地局に対してＸ２インタフェースを用いた基地局間通信によって変更内容を通知する技術が知られていた（例えば、特許文献１参照）。
［先行技術文献］
［特許文献］
［特許文献１］特開２０１１−１７６４７１号公報
【発明の概要】
【発明が解決しようとする課題】
【０００３】
Ｘ２インタフェースを確立していない場合であっても、無線基地局のセル情報が変更された場合に、その変更がネイバー関係にある無線基地局に適切に反映されることが望ましい。
【課題を解決するための手段】
【０００４】
本発明の第１の態様によれば、無線基地局が提供される。無線基地局は、無線基地局とネイバー関係にある無線基地局のうちで、Ｘ２インタフェースが確立されておらず、ハンドオーバが準備フェーズで失敗した無線基地局を特定する基地局特定部を備えてよい。無線基地局は、基地局特定部が特定した無線基地局とのネイバー関係を無効化する無効化部を備えてよい。
【０００５】
上記基地局特定部は、上記無線基地局とネイバー関係にある無線基地局のうちで、Ｘ２インタフェースが確立されておらず、ハンドオーバが準備フェーズで予め定められた回数連続して失敗した無線基地局を特定してよい。
【０００６】
本発明の第２の態様によれば、無線基地局が提供される。無線基地局は、無線基地局とネイバー関係にある無線基地局のうちで、ハンドオーバが予め定められた回数連続して失敗した無線基地局を特定する基地局特定部を備えてよい。無線基地局は、基地局特定部が特定した無線基地局とのネイバー関係を無効化する無効化部を備えてよい。
【０００７】
上記基地局特定部は、上記無線基地局とネイバー関係にある無線基地局のうちで、ハンドオーバ処理が準備フェーズで予め定められた回数連続して失敗した無線基地局を特定してよい。
【０００８】
上記無線基地局は、上記無線基地局とネイバー関係にある無線基地局のセル情報であるネイバーセル情報を格納するネイバーセル情報格納部をさらに備えてよく、上記無効化部は、上記基地局特定部が特定した無線基地局の上記ネイバーセル情報を削除してよい。上記ネイバーセル情報は無線基地局名を含んでよく、上記無線基地局は、無線通信接続を確立している移動局からハンドオーバ先の無線基地局名を含むハンドオーバ要求を受信する要求受信部と、上記ハンドオーバ要求に含まれる上記無線基地局名を含むネイバーセル情報が上記ネイバーセル情報格納部に格納されていない場合、上記無線基地局名をコアネットワークに送信することによって、当該無線基地局名を含むネイバーセル情報を上記コアネットワークから受信するネイバーセル情報受信部とをさらに備えてよく、上記ネイバーセル情報格納部は、上記情報受信部が受信したネイバーセル情報を格納してよい。上記ネイバーセル情報は、ＰＣＩ（Ｐｈｙｓｉｃａｌ  Ｃｅｌｌ  ＩＤ）、ＴＡＣ（Ｔｒａｃｋｉｎｇ  Ａｒｅａ  Ｃｏｄｅ）、ＥＡＲＦＣＮ（Ｅ−ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）、及びＥＣＧＩ（Ｅ−ＵＴＲＡＮ  Ｃｅｌｌ  Ｇｌｏｂａｌ  ＩＤ）を含んでよい。
【０００９】
本発明の第３の態様によれば、コンピュータを、上記無線基地局として機能させるためのプログラムが提供される。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】無線基地局１００の一例を概略的に示す。
【図２】ネイバーセルリスト５００の一例を概略的に示す。
【図３】無線基地局１００の機能構成の一例を概略的に示す。
【図４】無線基地局１００による処理の流れの一例を概略的に示す。
【図５】無線基地局１００として機能するコンピュータ９００の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、無線基地局１００の一例を概略的に示す。無線基地局１００は、例えば、ＬＴＥ（Ｌｏｎｇ  Ｔｅｒｍ  Ｅｖｏｌｕｔｉｏｎ）方式の無線通信に対応した無線基地局である。移動局４００は、例えば、スマートフォン等の携帯電話及びタブレット端末等である。
【００１４】
無線基地局１００は、無線通信エリア１０２を形成する。無線通信エリア１０２は、無線基地局２００によって形成される無線通信エリア２０２及び無線基地局３００によって形成される無線通信エリア３０２と重複する。無線基地局１００は、無線基地局２００及び無線基地局３００とネイバー関係にある。
【００１５】
無線基地局１００は、ネイバー関係にある無線基地局のセル情報であるネイバーセル情報を格納する。ネイバーセル情報は、ＰＣＩ（Ｐｈｙｓｉｃａｌ  Ｃｅｌｌ  ＩＤ）を含んでよい。ネイバーセル情報は、ＴＡＣ（Ｔｒａｃｋｉｎｇ  Ａｒｅａ  Ｃｏｄｅ）を含んでよい。ネイバーセル情報は、ＥＡＲＦＣＮ（Ｅ−ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）を含んでよい。ネイバーセル情報は、ＥＣＧＩ（Ｅ−ＵＴＲＡＮ  Ｃｅｌｌ  Ｇｌｏｂａｌ  ＩＤ）を含んでよい。
【００１６】
図１に示す例では、無線基地局１００は、無線基地局２００のネイバーセル情報及び無線基地局３００のネイバーセル情報を格納している。無線基地局１００は、無線基地局２００との間でＸ２インタフェース１０を確立している。無線基地局１００は、無線基地局３００との間ではＸ２インタフェース１０を確立していない。
【００１７】
無線基地局１００が他の無線基地局とネイバー関係を確立したときに、当該他の無線基地局との間にＸ２インタフェース１０が確立されていなければ、Ｘ２インタフェース１０を確立する処理が実行されるが、無線基地局１００が確立できるＸ２インタフェース１０の数には上限がある。Ｘ２インタフェース１０の数が多いと、無線基地局１００の処理負荷が高まってしまうからである。そのため、上限に達している場合には、Ｘ２インタフェース１０が新たに確立されない。特に都心部等では、一の無線基地局の周辺に非常に多くの無線基地局が存在することから、Ｘ２インタフェース１０の数が上限に達する場合は比較的多くある。
【００１８】
無線基地局２００のセル情報が変更された場合、無線基地局２００は、Ｘ２インタフェース１０を介して変更内容を無線基地局１００に通知する。したがって、無線基地局２００のセル情報と、無線基地局１００が格納する無線基地局２００のネイバーセル情報とは、一致している状態が保たれる。
【００１９】
無線基地局３００のセル情報が変更された場合、無線基地局１００と無線基地局３００との間にはＸ２インタフェース１０が確立されていないので、変更内容は無線基地局１００に通知されない。したがってその場合、無線基地局３００のセル情報と、無線基地局１００が格納する無線基地局３００のネイバーセル情報とは一致しなくなり、この不一致状態は、例えば無線基地局１００の管理者等が手動でネイバーセル情報を変更するまで続いてしまう。無線基地局３００のセル情報と、無線基地局１００が格納する無線基地局３００のネイバーセル情報とが一致していない場合、無線基地局１００から無線基地局３００に対するハンドオーバは１００％失敗してしまう。
【００２０】
そこで、本実施形態に係る無線基地局１００は、ネイバー関係にある無線基地局のうちで、Ｘ２インタフェース１０が確立されておらず、ハンドオーバが準備フェーズ（Ｐｒｅｐａｒａｔｉｏｎ  Ｐｈａｓｅ）で失敗した無線基地局を特定し、特定した無線基地局とのネイバー関係を無効化する。無線基地局１００は、例えば、特定した無線基地局のネイバーセル情報を削除することによって、当該無線基地局とのネイバー関係を無効化する。
【００２１】
特定した無線基地局のネイバーセル情報を削除すると、その後に無線基地局１００が当該特定した無線基地局に対するハンドオーバ要求を移動局４００から受信した場合に、無線基地局１００のＡＮＲ（Ａｕｔｏｍａｔｉｃ  Ｎｅｉｇｈｂｏｒ  Ｒｅｌａｔｉｏｎ）が機能することによって、特定した無線基地局の最新のセル情報が無線基地局１００に登録される。これにより、特定した無線基地局のセル情報と、無線基地局１００に格納されている当該無線基地局のネイバーセル情報とを一致させることができる。
【００２２】
Ｘ２インタフェースが確立していないことを条件に無線基地局を特定することによって、Ｘ２インタフェースが確立されている無線基地局、すなわち、無線基地局のセル情報が変更された場合にその変更内容が無線基地局１００に対して通知される無線基地局とのネイバー関係を不必要に無効化してしまうことを防止できる。
【００２３】
ハンドオーバが準備フェーズで失敗したことを条件に無線基地局を特定することによって、セル情報とネイバーセル情報との不一致以外の理由でハンドオーバが失敗した場合に無線基地局を特定してしまう可能性を低減することができる。セル情報とネイバーセル情報とが一致していない場合、ハンドオーバは必ず準備フェーズで失敗するからである。例えば、ハンドオーバが実行フェーズ（Ｅｘｅｃｕｔｉｏｎ  Ｐｈａｓｅ）で失敗した場合、準備フェーズは成功しているのでセル情報とネイバーセル情報とは一致していることになり、無線環境の問題等の原因で失敗したことになる。したがって、ハンドオーバが準備フェーズで失敗したことを条件に無線基地局を特定することによって、セル情報とネイバーセル情報とが一致しているにも関わらずネイバー関係を不必要に無効化してしまう可能性を低減することができる。
【００２４】
無線基地局１００は、さらに、ハンドオーバが準備フェーズで予め定められた回数連続して失敗したことを条件に無線基地局を特定してもよい。ハンドオーバが準備フェーズで失敗した場合、その原因は、セル情報とネイバーセル情報との不一致以外である場合もある。しかし、１００％の失敗を引き起こす原因は、セル情報とネイバーセル情報との不一致である可能性が最も高い。ハンドオーバが準備フェーズで一度失敗した場合、その原因は、セル情報とネイバーセル情報との不一致以外である可能性もあるが、準備フェーズで連続して失敗した場合には、セル情報とネイバーセル情報との不一致が原因である可能性が非常に高い。したがって、ハンドオーバが準備フェーズで予め定められた回数連続して失敗したことを条件に無線基地局を特定することによって、セル情報とネイバーセル情報との不一致以外の原因でハンドオーバが失敗したときに、セル情報とネイバーセル情報とが一致しているにも関わらずネイバー関係を不必要に無効化してしまう可能性を低減することができる。
【００２５】
図２は、ネイバーセルリスト５００の一例を概略的に示す。ネイバーセルリスト５００は、無線基地局１００とネイバー関係にある複数の無線基地局のネイバーセル情報を含む。ネイバーセルリスト５００は、ＰＣＩ欄５０２、ＴＡＣ欄５０４、ＥＡＲＦＣＮ欄５０６、ＥＣＧＩ欄５０８、及びＸ２欄５１０を有する。Ｘ２欄５１０には、Ｘ２インタフェースの有無が登録される。ネイバーセルリスト５００は、無線基地局が使用する周波数の値等の他の情報をさらに含んでもよい。
【００２６】
図２のネイバーセルリスト５００は、無線基地局２００のネイバーセル情報と、無線基地局３００のネイバーセル情報とがネイバーセルリスト５００に登録されている場合を例示している。ここで、例えば、無線基地局２００のＴＡＣが変更された場合、無線基地局１００は無線基地局２００から変更内容を受信して、変更内容をネイバーセルリスト５００に反映する。
【００２７】
一方、例えば、無線基地局３００のＴＡＣが変更された場合、無線基地局１００と無線基地局３００とはＸ２インタフェース１０を確立していないので、変更内容は無線基地局３００に通知されず、無線基地局３００のセル情報と、無線基地局１００が格納する無線基地局３００のネイバーセル情報とは一致しなくなる。この場合、無線基地局１００が無線基地局３００へのハンドオーバ要求を移動局４００から受信すると、ハンドオーバは準備フェーズで失敗する。
【００２８】
ここで、本実施形態に係る無線基地局１００によれば、Ｘ２インタフェースを確立していない無線基地局３００へのハンドオーバが準備フェーズで失敗したことに応じて、無線基地局３００のネイバーセル情報がネイバーセルリスト５００から削除される。これにより、その後に無線基地局１００が無線基地局３００へのハンドオーバ要求を移動局４００から受信した場合に、ＡＮＲが機能し、無線基地局３００の最新のセル情報がネイバーセルリスト５００に登録されることになる。
【００２９】
図３は、無線基地局１００の機能構成の一例を概略的に示す。無線基地局１００は、ネイバーセル情報格納部１１０、通信制御部１１２、ハンドオーバ要求受信部１１４、ハンドオーバ処理実行部１１６、ネイバーセル情報受信部１１８、基地局特定部１２０、及び無効化部１２２を備える。
【００３０】
ネイバーセル情報格納部１１０は、無線基地局１００とネイバー関係にある無線基地局のネイバーセル情報を格納する。ネイバーセル情報格納部１１０は、ネイバーセルリスト５００として、複数のネイバーセル情報を格納してよい。また、ネイバーセル情報格納部１１０は、ネイバーセルリスト５００以外の形式で複数のネイバーセル情報を格納してもよい。
【００３１】
通信制御部１１２は、移動局４００との通信を制御する。通信制御部１１２は、移動局４００と無線通信接続を確立してよい。通信制御部１１２は、無線通信接続を確立している移動局４００の通信を中継してよい。
【００３２】
ハンドオーバ要求受信部１１４は、無線通信接続を確立している移動局４００からハンドオーバ要求を受信する。ハンドオーバ要求受信部１１４は、ハンドオーバ先の無線基地局名を含むハンドオーバ要求を受信してよい。無線基地局名は、例えば、ＥＣＧＩである。
【００３３】
ハンドオーバ処理実行部１１６は、移動局４００を他の無線基地局にハンドオーバする処理を実行する。ハンドオーバ処理実行部１１６は、Ｘ２インタフェース１０を確立していない無線基地局３００に対して移動局４００をハンドオーバする場合、Ｓ１ハンドオーバを実行してよい。
【００３４】
Ｓ１ハンドオーバは、準備フェーズ、実行フェーズ、及び完了フェーズ（Ｃｏｍｐｌｅｔｉｏｎ  Ｐｈａｓｅ）から成る。ハンドオーバ処理実行部１１６は、ハンドオーバ要求受信部１１４が移動局４００からハンドオーバ要求を受信したことに応じて、準備フェーズを開始してよい。また、ハンドオーバ処理実行部１１６は、通信制御部１１２が移動局４００から受信したＭＲ（Ｍｅａｓｕｒｅｍｅｎｔ  Ｒｅｐｏｒｔ）に基づいて移動局４００のハンドオーバ先の無線基地局を決定したことに応じて、準備フェーズを開始してよい。
【００３５】
ハンドオーバ処理実行部１１６は、ハンドオーバ要求受信部１１４が移動局４００からハンドオーバ要求を受信した場合、ハンドオーバ要求に含まれるＥＣＧＩに対応するネイバーセル情報がネイバーセル情報格納部１１０に格納されているか否かを確認する。格納されていた場合、ハンドオーバ処理実行部１１６は処理を続行する。格納されていなかった場合、ハンドオーバ処理実行部１１６は、ＥＣＧＩに対応するセル情報をコアネットワークに要求する。ネイバーセル情報受信部１１８は、ハンドオーバ処理実行部１１６からの要求に応じてコアネットワーク側から送信されたセル情報を受信する。ネイバーセル情報格納部１１０は、ネイバーセル情報受信部１１８が受信したセル情報を、ネイバーセル情報として格納する。
【００３６】
基地局特定部１２０は、無線基地局１００とネイバー関係にある無線基地局から、条件に合致する無線基地局を特定する。当該条件は、無線基地局１００とＸ２インタフェースが確立していないこと、無線基地局１００からのハンドオーバが準備フェーズで失敗したこと、ハンドオーバが予め定められた回数連続して失敗したことの少なくともいずれかを含んでよい。
【００３７】
例えば、基地局特定部１２０は、無線基地局１００とネイバー関係にある無線基地局のうちで、Ｘ２インタフェースが確立されておらず、ハンドオーバが準備フェーズで失敗した無線基地局を特定する。また、例えば、基地局特定部１２０は、無線基地局１００とネイバー関係になる無線基地局のうちで、Ｘ２インタフェースが確立されておらず、ハンドオーバが準備フェーズで予め定められた回数連続した失敗した無線基地局を特定する。
【００３８】
また、例えば、基地局特定部１２０は、無線基地局１００とネイバー関係にある無線基地局のうち、ハンドオーバが予め定められた回数連続して失敗した無線基地局を特定する。これにより、ネイバーセル情報格納部１１０に格納されているネイバーセル情報と、セル情報が一致していない可能性が高い無線基地局を特定することができる。また、例えば、基地局特定部１２０は、無線基地局１００とネイバー関係にある無線基地局のうち、ハンドオーバが準備フェーズで予め定められた回数連続して失敗した無線基地局を特定する。これにより、ネイバーセル情報格納部１１０に格納されているネイバーセル情報と、セル情報が一致していない可能性がより高い無線基地局を特定することができる。
【００３９】
無効化部１２２は、基地局特定部１２０によって特定された無線基地局とのネイバー関係を無効化する。無効化部１２２は、特定された無線基地局の、ネイバーセル情報格納部１１０に格納されているネイバーセル情報を削除することによって、当該無線基地局とのネイバー関係を無効化してよい。
【００４０】
図４は、無線基地局１００による処理の流れの一例を概略的に示す。図４は、移動局４００からハンドオーバ要求を受信した場合の処理の流れについて説明する。図４に示す各処理は、無線基地局１００が備える制御部が主体となって実行される。
【００４１】
ステップ４０２（ステップをＳと省略して表記する場合がある。）では、ハンドオーバ要求受信部１１４が、ハンドオーバ先の無線基地局名を含むハンドオーバ要求を移動局４００から受信する。Ｓ４０４では、ハンドオーバ要求に含まれる無線基地局名に対応するネイバーセル情報がネイバーセル情報格納部１１０に格納されているか否かを判定する。格納されていると判定された場合、Ｓ４０６に進み、格納されていないと判定された場合、Ｓ４０８に進む。Ｓ４０６では、ＡＮＲを実行することにより、ネイバーセル情報受信部１１８が、コアネットワークから、ハンドオーバ要求に含まれる無線基地局名に対応するセル情報を受信して、ネイバーセル情報格納部１１０に格納する。
【００４２】
Ｓ４０８では、ハンドオーバ処理実行部１１６が、Ｓ４０２で受信したハンドオーバ要求に従って、ハンドオーバ要求に含まれるハンドオーバ先の無線基地局に移動局４００をハンドオーバする処理を実行する。Ｓ４１０では、ハンドオーバ先の無線基地局との間にＸ２インタフェースが確立されているか否かを判定する。確立されている場合、Ｓ４２６に進み、確立されていない場合、Ｓ４１２に進む。
【００４３】
Ｓ４１２では、ハンドオーバが失敗したか否かを判定する。ハンドオーバが失敗していない場合、Ｓ４１６に進み、失敗した場合、Ｓ４１４に進む。Ｓ４１４では、ハンドオーバが準備フェーズで失敗したか否かを判定する。準備フェーズで失敗していない場合、Ｓ４１６に進み、準備フェーズで失敗した場合、Ｓ４２０に進む。
【００４４】
Ｓ４１６では、ハンドオーバ要求に含まれるハンドオーバ先の無線基地局へのハンドオーバが準備フェーズで失敗した回数が０回であるか否かを判定する。０回でないと判定した場合、Ｓ４１８に進み、０回と判定された場合、Ｓ４２６に進む。Ｓ４１８では、失敗回数をリセットする。なお、失敗回数は、予め定められた時間が経過する毎にリセットされてよい。
【００４５】
Ｓ４２０では、ハンドオーバ要求に含まれるハンドオーバ先の無線基地局へのハンドオーバが準備フェーズで連続して失敗した回数が閾値より多いか否かを判定する。多くないと判定された場合Ｓ４２２に進み、多いと判定された場合Ｓ４２４に進む。
【００４６】
Ｓ４２２では、失敗回数に１を加算する。Ｓ４２４では、無効化部１２２が、ハンドオーバ先の無線基地局とのネイバー関係を無効化する。
【００４７】
Ｓ４２６では、終了指示を受領しているか否かを判定する。終了指示を受領していない場合、Ｓ４０２に戻り、ハンドオーバ要求を待ち受ける。終了指示を受領していると判定された場合、処理を終了する。
【００４８】
図５は、無線基地局１００として機能するコンピュータ９００の一例を概略的に示す。コンピュータ９００は、制御部９０２、記憶部９０４、有線通信部９０６、及び無線通信部９０８を備える。
【００４９】
制御部９０２は、プロセッサ等を有し、各種制御を実行する。記憶部９０４は、ＲＡＭ、ＲＯＭ、及びハードディスク等を有し、各種情報を記憶する。有線通信部９０６は、有線の通信インタフェースを有し、コアネットワーク等との通信を実行する。無線通信部９０８は、アンテナを有し、移動局４００との間で無線通信を実行する。
【００５０】
コンピュータ９００にインストールされ、コンピュータ９００を無線基地局１００として機能させるプログラムは、制御部９０２のプロセッサ等に働きかけて、コンピュータ９００を、無線基地局１００の各部としてそれぞれ機能させてよい。これらのプログラムに記述された情報処理は、コンピュータ９００に読込まれることにより、ソフトウエアと上述した各種のハードウエア資源とが協働した具体的手段であるネイバーセル情報格納部１１０、通信制御部１１２、ハンドオーバ要求受信部１１４、ハンドオーバ処理実行部１１６、ネイバーセル情報受信部１１８、基地局特定部１２０、及び無効化部１２２として機能する。そして、これらの具体的手段によって、本実施形態におけるコンピュータ９００の使用目的に応じた情報の演算又は加工を実現することにより、使用目的に応じた特有の無線基地局１００が構築される。なお、本実施形態に係るプログラムは、ネイバーセル情報格納部１１０、通信制御部１１２、ハンドオーバ要求受信部１１４、ハンドオーバ処理実行部１１６、及びネイバーセル情報受信部１１８を備えるコンピュータ９００にインストールされることによって、コンピュータ９００を、基地局特定部１２０及び無効化部１２２として機能させてもよい。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５３】
１０  Ｘ２インタフェース、１００  無線基地局、１０２  無線通信エリア、１１０  ネイバーセル情報格納部、１１２  通信制御部、１１４  ハンドオーバ要求受信部、１１６  ハンドオーバ処理実行部、１１８  ネイバーセル情報受信部、１２０  基地局特定部、１２２  無効化部、２００  無線基地局、２０２  無線通信エリア、３００  無線基地局、３０２  無線通信エリア、４００  移動局、５００  ネイバーセルリスト、５０２  ＰＣＩ欄、５０４  ＴＡＣ欄、５０６  ＥＡＲＦＣＮ欄、５０８  ＥＣＧＩ欄、５１０  Ｘ２欄、９００  コンピュータ、９０２  制御部、９０４  記憶部、９０６  有線通信部、９０８  無線通信部
【図１】
2018033001.tif 000003
【図２】
2018033001.tif 000004
【図３】
2018033001.tif 000005
【図４】
2018033001.tif 000006
【図５】
2018033001.tif 000007